(57)【特許請求の範囲】
【請求項１】
遊技盤と遊技盤の裏面に取付けられる部品取付体とを備えたパチンコ機であって、遊技盤に設けられた複数の位置決定部と部品取付体に設けられた複数の位置決定部との何れか一方の位置決定部群のうちの１つの位置決定部が、当該位置決定部に対応する他方の位置決定部群のうち１つの位置決定部に整合して嵌合されることにより固定点を形成し、一方の位置決定部群のうち残りの位置決定部が当該位置決定部に対応する他方の位置決定部群のうち残りの位置決定部に整合して弾性変形することにより嵌合することを特徴とするパチンコ機。
【請求項２】
前記弾性変形する位置決定部は、前記固定点を中心として部品取付体が円運動を行う周方向に剛性を有し径方向に弾性変形することを特徴とする請求項１記載のパチンコ機。
【請求項３】
前記遊技盤の前面に取付けられる装飾体は、当該装飾体の裏側より前側に窪む凹状の装飾体側の位置決定部を備え、部品取付体の前面より前側に凸状に突出する部品取付体の位置決定部が弾性変形し、遊技盤の位置決定部を経由して装飾体側の位置決定部に挿入されることを特徴とする請求項１記載のパチンコ機。
【請求項４】
部品取付体が、遊技盤に位置決めされて取付けられた主部品取付体と、主部品取付体に位置決めされて遊技盤に取付けられた従部品取付体とに分割され、主部品取付体に表示灯制御装置と効果音制御装置と中継基板を取付け、従部品取付体に中継基板を経由して表示灯制御装置及び効果音制御装置に制御信号を出力する主制御装置を取付けたことを特徴とする請求項１記載のパチンコ機。
【発明の詳細な説明】
【０００１】
【発明の属する技術分野】
本発明は、パチンコ機、特に遊技盤とそれに取付けられる部品との取付構造に関する。
【０００２】
【従来の技術】
パチンコ機では、Ｇ盤と通称される遊技盤の裏面にセット板と呼ばれる部品取付体を遊技盤に位置決めをしつつ釘で取付けている。その位置決めは、遊技盤の裏面に凹状に形成された複数の遊技盤側位置決定部と部品取付体の前面に凸状に形成された複数の取付体側位置決定部とが嵌合される形態である。
【０００３】
【発明が解決しようとする課題】
しかし、遊技盤は略方形なベニヤ板のような遊技基板の前面に意匠図柄の描かれた化粧シートを貼付けた形態であり、ベニヤ板が温度変化や湿度変化で伸縮する。しかも、遊技盤の位置決定部の全部及び部品取付体の位置決定部の全部が剛性支持構造である。このため、遊技盤の伸縮により、又は、遊技盤や部品取付体の製作誤差により、全部の位置決定部が互いに正確に嵌合しないことがある。又、特開平１０−５７５７０号公報では、１つのセット板側位置決定突起部が遊技盤側位置決定孔部に整合して嵌合され固定点となり、この固定点を中心としてセット板が円運動を行うことにより、もう１つのセット板側位置決定突起部が大きな遊技盤側位置決定孔部に遊嵌される構造が記載されている。しかし、同公報に開示された取付構造では、上記もう１つのセット板側位置決定突起部が大きな遊技盤側位置決定孔部の内部でがたつくので、角形のセット体が角形の遊技盤の裏面に沿い左右に傾いて取付けられる可能性があり、セット体が遊技盤に傾いて取付けられた場合、商品価値が悪くなることは否めない。
【０００４】
そこで、本発明は、遊技盤と部品取付体との正確な位置決めが図れるパチンコ機を提供するものである。
【０００５】
【課題を解決するための手段】
本発明にあっては、遊技盤と遊技盤の裏面に取付けられる部品取付体とを備えたパチンコ機であって、遊技盤に設けられた複数の位置決定部と部品取付体に設けられた複数の位置決定部との何れか一方の位置決定部群のうちの１つの位置決定部が、当該位置決定部に対応する他方の位置決定部群のうち１つの位置決定部に整合して嵌合されることにより固定点を形成し、一方の位置決定部群のうち残りの位置決定部が当該位置決定部に対応する他方の位置決定部群のうち残りの位置決定部に整合して弾性変形することにより嵌合することを特徴としている。
よって、本発明の構成によれば、嵌合されてなる位置決定部が固定点となり、弾性変形することにより嵌合する位置決定部の弾性変形により、遊技盤の温度変化や湿度変化による位置決定部間距離の伸び縮みや製作誤差を吸収し、全部の位置決定部が互いに正確に嵌合し、部品取付体が遊技盤に正確に位置決めされる。
又、本発明にあっては、前記弾性変形する位置決定部は、前記固定点を中心として部品取付体が円運動を行う周方向に剛性を有し径方向に弾性変形する形態であれば、部品取付体が遊技盤の裏面に沿い左右に傾くことはなく遊技盤に適切に取付けられる。
又、本発明にあっては、前記遊技盤の前面に取付けられる装飾体は、当該装飾体の裏側より前側に窪む凹状の装飾体側の位置決定部を備え、部品取付体の前面より前側に凸状に突出する部品取付体の位置決定部が弾性変形し、遊技盤の位置決定部を経由して装飾体側の位置決定部に挿入されれば、遊技盤がベニヤ板のような材料であっても、全部の位置決定部が適切に形成できる。
又、本発明にあっては、部品取付体が、遊技盤に位置決めされて取付けられた主部品取付体と、主部品取付体に位置決めされて遊技盤に取付けられた従部品取付体とに分割され、主部品取付体に表示灯制御装置と効果音制御装置と中継基板を取付け、従部品取付体に中継基板を経由して表示灯制御装置及び効果音制御装置に制御信号を出力する主制御装置を取付ければ、主制御装置、表示灯制御装置及び効果音制御装置等の複数に機能毎に分別構成された制御装置を遊技盤１の裏面に効率良く取付けることができる。
【０００６】
【発明の実施の形態】
図１〜図７は本発明の一実施形態であって、図１は遊技盤１と部品取付体２及び装飾体３を分解し背面より示し、図２は部品取付体２を組立てた遊技盤の背面を示し、図３は部品取付体２を分解し背面より示し、図４は主制御装置２１を前側より示し、図５は表示灯制御装置２２を組立てた左側面を示し、図６は効果音制御装置２３を組立てた右側面を示し、図７はパチンコ機の背面を示し、図８は中継基板６０の構造を示す。
【０００７】
図１を参照し、遊技盤１と部品取付体２との位置決めについて説明する。１は遊技盤、２は遊技盤１の裏面に取付けられる部品取付体、３は遊技盤１の前面に取付けられる前飾りと呼ばれる額縁状の装飾体である。遊技盤１には、遊技盤側位置決定部１ａ；１ｂ及び逃孔１ｃが前後方向への貫通孔として形成される。上位の遊技盤側位置決定部１ａは部品取付体２及び装飾体３の位置決めで共用され、下位の遊技盤側位置決定部１ｂは装飾体３の位置決めで専用され、逃孔１ｃは部品取付体２の位置決めに専用される。部品取付体２には取付体側位置決定部２ａ；２ｂが前側に突出した凸状に形成される。上側の取付体側位置決定部２ａは剛性支持構造として筒状に形成される。下側の取付体側位置決定部２ｂは、弾性支持構造として板状に形成された遊嵌部２ｃと、遊嵌部２ｃより前側に突出した円柱状の先端部２ｄと、を備える。装飾体３は裏面に装飾体側位置決定部３ａ；３ｂ；３ｃを備える。装飾体側位置決定部３ａ；３ｂは、装飾体３を遊技盤１に位置決めするためのものであって、装飾体３の裏側に突出した筒状の周壁が縦溝３ｄ；３ｅで２つに割られた弾性支持構造として形成される。装飾体側位置決定部３ｃは、部品取付体２を遊技盤１に位置決めするためのものであって、装飾体３の裏側より前側に円形に窪む凹状である。
【０００８】
そして、装飾体側位置決定部３ａ；３ｂが遊技盤側位置決定部１ａ；１ｂに遊技盤１の前側より挿入されると、装飾体側位置決定部３ａ；３ｂが割溝３ｄ；３ｅにより弾性的に側位置決定部１ａ；１ｂに挿入され、装飾体３の裏面が遊技盤１の前面に接触し、装飾体３が遊技盤１に位置決めされる。装飾体側位置決定部３ｃは逃孔１ｃと対応する。その状態において、装飾体３は図外の釘で遊技盤１の前面に固定される。それから、取付体側位置決定部２ａが遊技盤側位置決定部１ａに遊技盤１の裏側より挿入され、取付体側位置決定部２ｂが遊技盤１の裏側より逃孔１ｃを経由して装飾体側位置決定部３ｃに挿入される。
【０００９】
つまり、図２に示すように、剛性支持構造である取付体側位置決定部２ａが遊技盤側位置決定部１ａに整合して嵌合され固定点となり、弾性支持構造である取付体側位置決定部２ｂの遊嵌部２ｃが逃孔１ｃ内において上記固定点を中心として部品取付体２が円運動を行う径方向Ｙに弾性変形し、先端部２ｄが遊技盤側位置決定部として遊技盤１の前側に遊技盤１の前面に位置決め設定された装飾体側位置決定部３ｃにがたつくことなく整合して嵌合される。要するに、１つの取付体側位置決定部２ａが固定点となり、残りの取付体側位置決定部２ｂが弾性変形することで、遊技盤１の温度変化や湿度変化による遊技盤側位置決定部１ａ及び逃孔１ｃ間距離の伸び縮みを吸収し、又、装飾体３の装飾体側位置決定部３ａ；３ｃ間距離の製作誤差を吸収し、取付体側位置決定部２ａ；２ｂが遊技盤側位置決定部１ａと装飾体側位置決定部１ｃとに嵌合する。結果、部品取付体２が遊技盤１に正確に位置決めされる。その状態において、部品取付体２が釘若しくはねじで遊技盤１の裏面に固定される。
【００１０】
又、遊嵌部２ｃが固定点である取付体側位置決定部２ａを中心として部品取付体２が円運動を行う周方向Ｘに剛性を有し径方向Ｙに弾性変形可能な板状であるので、角形の部品取付体２が角形の遊技盤１の裏面に沿い左右に傾くことはなく遊技盤１に適切に取付けられる。
【００１１】
図１に戻り、遊技盤１は意匠図柄の描かれた化粧シートが略方形なベニヤ板のような遊技基板の前面に貼付けられた形態である。遊技盤１には、前述の遊技盤側位置決定部１ａ；１ｂや逃孔１ｃに加え、賞球表示灯装置用孔１ｄ、完了表示灯装置用孔１ｅ、センタ役物用孔１ｆ、ランプ風車装置用孔１ｇ、上位入賞口装置用孔１ｈ、サイドランプ装置用孔１ｉ、始動入賞口装置用孔１ｊ、下位入賞口装置用孔１ｋ、大入賞口装置用孔１ｍが前後方向への貫通孔として形成される。遊技盤１には、前側より、装飾体３、センタ飾り３５、ランプ風車装置３６、上位入賞口装置３７、サイドランプ装置３８、始動入賞口装置３９、下位入賞口装置４０、大入賞口装置４１、図外の風車、図外の遊技釘が取付けられる。
【００１２】
装飾体３には、前述の装飾体側位置決定部３ａ；３ｂ；３ｃに加え、遊技盤１の前面に遊技領域を区分する中央の丸窓３ｆの周囲上部左右に賞球表示灯装置４２及び完了表示灯装置４３が内蔵される。賞球表示灯装置４２及び完了表示灯装置４３は、回路基板の前面に表示灯として複数のＬＥＤを実装し、回路基板の裏面にコネクタ４２ａ；４３ａを実装した、形態である。賞球表示灯装置４２のＬＥＤや回路基板及び完了表示灯装置４３のＬＥＤや回路基板は装飾体３の内部に格納されて装飾体３に組付けられ、コネクタ４２ａ；４３ａは装飾体３より裏側に突出する。そして、装飾体３が遊技盤１の前面に取付けられることにより、コネクタ４２ａが賞球表示灯装置用孔１ｄの内部右寄りに配置され、コネクタ４３ａが完了表示灯装置用孔１ｅの内部左寄りに配置される。これらの賞球表示灯装置用孔１ｄや完了表示灯装置用孔１ｅに対するコネクタ４２ａ；４３ａの配置は、それぞれへの相手側コネクタの手作業による嵌合を考慮したものである。
【００１３】
又、装飾体３が遊技盤１に取付けられることにより、丸窓３ｆの内部が遊技盤１の前面である化粧シートの意匠盤面に遊技領域を形成し、丸窓３ｆの外部である装飾体３で覆われる遊技盤１の前面が遊技領域外となる。遊技領域にはセンタ役物用孔１ｆ、ランプ風車装置用孔１ｇ、上位入賞口装置用孔１ｈ、サイドランプ装置用孔１ｉ、始動入賞口装置用孔１ｊ、下位入賞口装置用孔１ｋ、大入賞口装置用孔１ｍが配置される。
【００１４】
センタ飾り３５は、裏側に突出した筒部の裏面に図柄視認用カバーを備え、筒部より上部に回路基板を備え、回路基板の前面に保留記憶表示灯や遊技表示灯を実装し、回路基板の裏面にコネクタを実装した、形態である。そして、センタ飾り３５の筒部及び回路基板がセンタ役物用孔１ｆに前側より挿入され、筒部や回路基板より外側に突出したフランジが図外の木ねじによりセンタ役物用孔１ｆ周りの遊技盤１の前面に前側より取付けられる。
【００１５】
ランプ風車装置３６は、裏側に突出した軸部に前側の回転体を回転可能に備えた、形態である。そして、ランプ風車装置３６の軸部がランプ風車装置用孔１ｇに前側より挿入され、軸部より外側に突出したフランジが図外の木ねじによりランプ風車装置用孔１ｇ周りの遊技盤１の前面に前側より取付けられる。ランプ風車装置３６の前側の回転体は遊技領域に発射された打球が衝突することにより回転する。
【００１６】
上位入賞口装置３７は、裏側に回路基板及び入賞球検出器を突出し、回路基板の前面に表示灯及びコネクタを実装した、形態である。そして、上位入賞口装置３７の回路基板及び入賞球検出器が上位入賞口装置用孔１ｈに前側より挿入され、回路基板及び入賞球検出器より外側に突出したフランジが図外の木ねじにより上位入賞口装置用孔１ｈ周りの遊技盤１の前面に前側より取付けられる。上位入賞口装置３７の前面には遊技領域に発射された打球を取込んで遊技領域内に排出する通過孔タイプの入賞口部を備える。この入賞口は、上方より球を取入れ、その球の流れる方向を縦方向から横方向に変化させ、球をセンタ飾り３５の側に排出する。この入賞口部を通過する球は上記入賞球検出器で検出され、当該入賞球検出器が電気的な検出信号を出力する。
【００１７】
サイドランプ装置３８は、裏側に突出した回路基板を備え、回路基板の前面に表示灯を実装し、回路基板の裏面にコネクタを実装した、形態である。そして、サイドランプ装置３８の回路基板がサイドランプ装置用孔１ｉに前側より挿入され、回路基板より外側に突出したフランジが図外の木ねじによりサイドランプ装置用孔１ｉ周りの遊技盤１の前面に前側より取付けられる。
【００１８】
始動入賞口装置３９は、電動チューリップ装置のように裏側に突出した電磁ソレノイドのようなアクチュエータを備えた、形態である。そして、始動入賞口装置３９のアクチュエータが始動入賞口装置用孔１ｊに前側より挿入され、アクチュエータより外側に突出したフランジが図外の木ねじにより始動入賞口装置用孔１ｊ周りの遊技盤１の前面に前側より取付けられる。始動入賞口装置３９の前面には、遊技領域に発射された打球を取込んで遊技盤の裏側に排出するタイプの入賞口部、その入賞口部の両側に上記アクチュエータで左右に開閉する可動体を備える。これらの可動体は閉じた状態であっても上記打球の入賞口部への入賞は可能であるが、開くことにより打球の入賞口部への入賞の確率は高くなる。
【００１９】
下位入賞口装置４０は、裏側に回路基板及び複数の入賞球検出器を突出し、回路基板の前面に複数の表示灯としてのＬＥＤ及びコネクタを実装した、形態である。そして、下位入賞口装置４０の回路基板及び複数の入賞球検出器が下位入賞口装置用孔１ｋに前側より挿入され、回路基板及び複数の入賞球検出器より外側に突出したフランジが図外の木ねじにより下位入賞口装置用孔１ｋ周りの遊技盤１の前面に前側より取付けられる。下位入賞口装置４０の前面には各入賞球検出器に対応する複数の入賞口部を上下左右に分離した状態で備える。これらの入賞口部は遊技領域に発射された打球を取込んで遊技盤の裏側に排出するタイプである。各入賞口部を通過する球は上記入賞球検出器で個別に検出され、入賞球検出器が電気的な検出信号を出力する。
【００２０】
大入賞口装置４１は、裏側に突出した機構部を備えた形態である。そして、大入賞口装置４１の機構部が大入賞口装置用孔１ｍに前側より挿入され、機構部より外側に突出したフランジが木ねじにより大入賞口装置用孔１ｍ周りの遊技盤１の前面に前側より取付けられる。大入賞口装置４１の前面上部には機構部の電磁ソレノイドのようなアクチュエータにより下側を回転中心として前後に開閉動作する開閉体を備える。開閉体で開放された入賞口部には機構部の上記とは別の電磁ソレノイドのようなアクチュエータにより球をＶゾーンと呼ばれる特定入賞口部とそれ以外の普通入賞口部とに振分ける振分体を備え、大入賞口装置４１の前面下部には機構部の表示灯による表示部を備える。上記開閉体は、閉じることにより、遊技領域に発射された打球を入賞口部に取込むことはないが、開くことにより、遊技領域に発射された打球を入賞口部に誘導する。よって、開閉体が開くことにより、打球の入賞口部への入賞の確率は高くなる。入賞口部に進入した球は振分体により振分けられて特定入賞口部及び普通入賞口部の何れかに入賞して遊技盤の裏側に排出される。特定入賞口部及び普通入賞口部を通過する球は機構部の複数の入賞球検出器で個別に検出され、各入賞球検出器が電気的な検出信号を出力する。
【００２１】
前記遊技領域に発射された打球が始動入賞口装置３９、下位入賞口装置４０、大入賞口装置４１等に入賞せずにアウトとなった球は、装飾体３と遊技盤１とからなる図外のアウト通路により遊技盤１の意匠盤面に沿い遊技領域から遊技領域外に排出される。
【００２２】
図３を参照し、図１の部品取付体２について詳述する。部品取付体２は第１〜第７部品取付体４〜１０に分割されている。この実施形態では、第１；第２部品取付体４；５は主部品取付体として構成され、第３〜第７部品取付体６〜１０は従部品取付体として構成される。第１部品取付体４には、表示灯制御装置２２、効果音制御装置２３、図柄表示装置２４、センタサイド表示灯装置２５、ランプ風車表示灯装置２６、始動球検出器２７、第５中継基板３２、第６中継基板３３が取付けられる。第２部品取付体５には、第１中継基板２８、第２中継基板２９、第３中継基板３０、第４中継基板３１が取付けられる。第６部品取付体９には主制御装置２１が取付けられる。第６部品取付体９と第７部品取付体１０とにはエラー表示装置３４が取付けられる。
【００２３】
第１部品取付体４は、第２部品取付体５よりも大形であって、透視性の有る無色な合成樹脂で額縁状に形成され、中央開口部４ａ、板状部４ｂ、前側開放状の膨出部４ｃを備える。中央開口部４ａは、図１のセンタ役物用孔１ｆ及び始動入賞口装置用孔１ｊを囲むような１つの大きさに形成される。中央開口部４ａは、板状部４ｂ及び膨出部４ｃより連接された周壁４ｄで囲まれる。板状部４ｂには、前側に突出した左右のランプ風車表示灯装置取付孔部４ｅ、裏側に突出した複数の配線押え４ｆ、裏側に突出した複数の第２部品取付体結合部４ｇを備える。周壁４ｄの上縁部及び左右縁部が板状部４ｂより裏側に突出し、周壁４ｄの下縁部が膨出部４ｃより前側に突出する。周壁４ｄは、左右縁部にセンタサイド表示灯装置収納部４ｈを備え、下縁部に始動球受口４ｉを備える。膨出部４ｃは中央開口部４ａの左右下部に沿うＵ字形であって、図１の上位入賞口装置用孔１ｈ及び下位入賞口装置用孔１ｋを覆うと共に図１のサイドランプ装置用孔１ｉ及び大入賞口装置用孔１ｍを逃げる。
【００２４】
板状部４ｂの前面が図１の遊技盤１の裏面に重ね合され、第１部品取付体４が遊技盤１の裏面に取付けられた状態において、膨出部４ｃの前面と遊技盤１の裏面との間には、下位入賞口入賞球及び始動入賞口入賞球を所定の方向に誘導する通路が形成される。膨出部４ｃは、左右の入賞球出口４ｊ、右側の始動球出口４ｋを備える。中央開口部４ａの周囲には筒状の図柄表示装置取付孔部４ｍを備える。図柄表示装置取付孔部４ｍのうちで上部左右の２つは周壁４ｄより中央開口部４ａ内部に位置して裏側に突出し、下部左右の２つは膨出部４ｃより裏側に突出する。中央開口部４ａの右側における周壁４ｄには上下の配線押え４ｎが裏側に突出する。膨出部４ｃには、第３部品取付体取付孔部４ｐ、第４部品取付体取付孔部４ｑ、第５中継基板取付孔部４ｒ、第６中継基板取付孔部４ｓ、第６中継基板支持部４ｔ、始動球検出器取付孔部４ｕが裏側に筒状に突出する。板状部４ｂ及び膨出部４ｃの周縁には遊技盤取付孔部４ｖを備える。膨出部４ｃの外側には、裏側に突出した左右の部品取付体位置決定部４ｗ、前述した弾性支持構造である取付体側位置決定部２ｂを備える。左右のセンタサイド表示灯装置収納部４ｈと対応する膨出部４ｃには先端にフックを有する係合レバー４ｘを備える。
【００２５】
図柄表示装置２４は、液晶のような表示パネルや回路基板及びその他の表示に必要な部品を金属製のケースの内部に積層状に収容し、回路基板に実装されたコネクタがケースより裏側に露出され、表示パネルの表示画面で電気的に表示された図柄はケースの前面に形成された四角形の開口部より視認し得る。上記回路基板には表示パネルの表示画面に遊技の状況に応じた図柄を描くための駆動回路や駆動回路を制御する図柄表示制御回路等を構成するボードマイコンのような半導体集積回路やその他の半導体素子等やコンデンサや抵抗器或いはコイル等が搭載される。図柄表示装置２４のケースの外側には複数の取付脚部２４ａを備える。そして、取付脚部２４ａが図柄表示装置取付孔部４ｍに裏側より重ね合され、図外の止ねじが取付脚部２４ａより図柄表示装置取付孔部４ｍに締結されることにより、表示パネルの表示画面が図１のセンタ飾り３５の図柄視認用カバーと対応して前側に向き、図柄表示装置２４が第１部品取付体４に裏側より取付けられる。その状態において、遊技領域に発射された打球がセンタ飾り３５より図柄表示装置２４の側に進入しても、係る打球はセンタ飾り３５の図柄視認用カバーで遮られて図柄表示装置２４の表示パネルに衝突することはない。つまり、図柄表示装置２４の表示パネルはセンタ飾り３５の図柄視認用カバーで保護される。
【００２６】
センタサイド表示灯装置２５は回路基板の一表面に複数の表示灯及びコネクタを実装した形態である。そして、センタサイド表示灯装置２５の回路基板が中央開口部４ａよりセンタサイド表示灯装置収納部４ｈに押込まれて係合レバー４ｘを裏側に押して係合レバー４ｘのフックを超えることにより、係合レバー４ｘが弾性的に復元し、係合レバー４ｘのフックが回路基板の裏端縁部に係合し、かつ、回路基板の前端縁部がセンタサイド表示灯装置収納部４ｈの前側凸部に係合し、回路基板の上下端縁部がセンタサイド表示灯装置収納部４ｈの上下端部に受止められる。これによって、センタサイド表示灯装置２５が第１部品取付体４に取付けられる。又、第１部品取付体４及び図１のセンタ飾り３５が遊技盤１に取付けられた状態において、センタサイド表示灯装置２５はセンタ飾り３５の透光性を有する左右側面と対応する。
【００２７】
ランプ風車表示灯装置２６は、回路基板の一表面に複数の表示灯及びコネクタを実装した、形態である。そして、ランプ風車表示灯装置２６の回路基板がランプ風車表示灯装置取付孔部４ｅに前側より挿入され、図外の止めねじが回路基板よりランプ風車表示灯装置取付孔部４ｅに締結されることにより、ランプ風車表示灯装置２６が第１部品取付体４に取付けられる。又、第１部品取付体４及び図１のランプ風車装置３６が遊技盤１に取付けられた状態において、ランプ風車表示灯装置２６はランプ風車装置３６の裏面と対応する。
【００２８】
始動球検出器２７は、合成樹脂ボディに磁気センサのような検出素子を内蔵し、樹脂ボディに設けられた貫通孔を備える。そして、始動球検出器２７が始動球検出器取付孔部４ｕに挿入装着されることにより、始動球検出器２７の貫通孔が始動球受口４ｉに同軸状に配置され、始動球検出器２７が第１部品取付体４に取付けられる。又、第１部品取付体４及び図１の始動入賞口装置３９が遊技盤１に取付けられた状態において、始動球受口４ｉが始動入賞口装置３９の入賞口部の出口に連なる。そして、始動球検出器２７の検出素子が供給された電力により貫通孔の内部に磁界を生成した状態において、始動入賞口装置３９に入賞した球が貫通孔を通過する際に、貫通孔の内部における磁界密度が変化することにより、検出素子が磁界密度変化を入賞球感知動作として検出し変換した信号を出力する。
【００２９】
第２部品取付体５は、第１部品取付体４よりも小形であって、透視性のある無色な合成樹脂で板状に形成され、裏側に突出した第１〜第４中継基板取付孔部５ａ；５ｂ；５ｃ；５ｄを上部に備える。第１〜第４中継基板取付孔部５ａ〜５ｄには第１〜第４中継基板２８〜３１が裏側より個別に配置され、図外の止ねじが第１〜第４中継基板２８〜３１より第１〜第４中継基板取付孔部５ａ〜５ｄに締結されることにより、第１〜第４中継基板２８〜３１が第２部品取付体５に取付けられる。
【００３０】
第２部品取付体５は、第４中継基板取付孔部５ｄより前側に前述した剛性支持構造である取付体側位置決定部２ａを備え、前側より裏側に窪む筒状の複数の第１部品取付体結合部５ｅを下部に備え、周縁に遊技盤取付孔部５ｆを備え、第４中継基板取付孔部５ｃと第１部品取付体結合部５ｅとの間より裏側に突出した配線押え５ｇを備える。そして、第１部品取付体結合部５ｅが第２部品取付体結合４ｇに裏側より嵌合され、図外の止めねじが第１部品取付体結合部５ｅより第２部品取付体結合４ｇに締結されることにより、第１部品取付体４と第２部品取付体５とが結合される。その状態において、第２部品取付体５は右側のランプ風車表示灯装置取付孔部４ｅを逃げる。
【００３１】
互いに結合された第１部品取付体４及び第２部品取付体５は、取付体側位置決定部２ａが図１の遊技盤側位置決定部１ａに整合して嵌合され、取付体側位置決定部２ｂが図１の逃孔１ｃを経由し装飾体側位置決定部３ｃに整合して嵌合される。その状態において、図外の止めねじが遊技盤取付孔部４ｖ；５ｆより図１の遊技盤１の裏面に締結されることにより、第１；第２部品取付体４；５が遊技盤１の裏面に取付けられる。
【００３２】
第３部品取付体６は第１部品取付体４に表示灯制御装置２２を取付けるための透視性のある無色な合成樹脂からなる部品であって、前側より裏側に窪む複数の第１部品取付体取付孔部６ａ、上部左右の係合孔部６ｂ、下部左右の先端にフックを有する係合レバー６ｃを備える。そして、第１部品取付体取付孔部６ａが第３部品取付体取付孔部４ｐに裏側より嵌合され、図外の止ねじが第２部品取付体取付孔部６ａより第３部品取付体取付孔部４ｐに締結されることにより、第３部品取付体６が第１部品取付体４における中央開口部４ａの左側に位置する膨出部４ｃの裏面に取付けられる（図５参照）。
【００３３】
表示灯制御装置２２は、ＣＰＵやＲＯＭ及びＲＡＭ等の半導体集積部品やその他の各種電気部品が実装された回路基板が透視性の有る無色な合成樹脂からなるケースの内部に収納され、回路基板に実装された複数のコネクタ２２ａがケースより裏側に突出し、ケースより上方に突出した左右の係合片部２２ｂを備える。そして、係合片部２２ｂが係合孔部６ｂに裏側より挿入される。その状態において、係合片部２２ｂを支点として、表示灯制御装置２２の下部が第３部品取付体６の側へ押込まれることにより、表示灯制御装置２２が係合レバー６ｃを下方に押して係合レバー６ｃのフックを超えることにより、係合レバー６ｃが弾性的に復元し、係合レバー６ｃのフックが表示灯制御装置２２の下縁裏面に係合し、表示灯制御装置２２の回路基板の板面が第３部品取付体６の裏面と並行し、回路基板の部品搭載面が裏側に向けられ、表示灯制御装置２２が第３部品取付体６を介して第１部品取付体４の中央開口部４ａの左側において膨出部４ｃの裏面に取付けられる（図５参照）。
【００３４】
表示灯制御装置２２のＣＰＵは、主制御装置２１の出力インターフェースからのコマンドを配線及び入力インターフェースを介して入力すると、ＣＰＵがＲＯＭに設定されたプログラムをＲＡＭを処理過程の記憶手段として用いて表示灯制御処理を実行し、ランプ風車表示灯装置２６やセンタ飾り３５及びサイドランプ装置３８又は賞球表示灯装置４２又は完了表示灯装置４３或いはトップランプ装置等を出力ドライバ及び配線を介して電気的に点灯、点滅、消灯する。主制御装置２１より表示灯制御装置２２に入力されるコマンドの種類には、デモ表示、図柄変動中表示、リーチ（左、中図柄一致）表示、大当り決定表示、大当り中表示、大当り終了表示、エラー表示、特定入賞口入賞表示灯点灯、特定入賞口入賞表示灯消灯、保留記憶表示灯１個表示、保留記憶表示灯２個表示、保留記憶表示灯３個表示、保留記憶表示灯４個表示、保留記憶表示灯全消灯、賞球表示灯点灯、賞球表示灯消灯、完了表示灯点灯、完了表示灯消灯等がある。
【００３５】
第４部品取付体７は第１部品取付体４に効果音制御装置２３を取付けるための透視性のある無色な合成樹脂からなる部品であって、前側より裏側に窪む筒状の第１部品取付体取付孔部７ａ、裏側に突出した上部左右の左右位置ずれ防止部７ｂ、上部の係合孔部７ｃ、下部左の横受止部７ｄ、下部右の先端にフックを有する係合レバー７ｅを備える。そして、第１部品取付体取付孔部７ａが第４部品取付体取付孔部４ｑに裏側より嵌合され、図外の止ねじが第１部品取付体取付孔部７ａより第４部品取付体取付孔部４ｑに締結されることにより、第４部品取付体７が第１部品取付体４における中央開口部４ａの右側に位置する膨出部４ｃの裏面に取付けられる（図６参照）。
【００３６】
効果音制御装置２３は、ＣＰＵやＲＯＭ及びＲＡＭ等の半導体集積部品やその他の各種電気部品が実装された回路基板が透視性の有る無色な合成樹脂からなるケースの内部に収納され、回路基板に実装された複数のコネクタ２３ａがケースより右側に突出し、ケースより上部に突出した係合片部２３ｂ、ケースの右側面に形成された係合凹部２３ｃを備える。そして、効果音制御装置２３の上部が左右位置ずれ防止部７ｂの間に挿入され、係合片部２３ｂが係合孔部７ｃに裏側より挿入される。その状態において、係合片部２３ｂを支点として、効果音制御装置２３の下部が第４部品取付体７の側へ押込まれることにより、効果音制御装置２３の下部が横受止部７ｄと係合レバー７ｅとの間に挿入されて係合レバー７ｅを右側へ押して係合レバー７ｅのフックを超えることにより、係合レバー７ｅが弾性的に復元し、係合レバー７ｅのフックが係合凹部２３ｃに係合し、効果音制御装置２３の回路基板の板面が第４部品取付体７の裏面と直交し、回路基板の部品搭載面が右側に向けられ、効果音制御装置２３が第４部品取付体７を介して第１部品取付体４における中央開口部４ａの右側に位置する膨出部４ｃの裏面に取付けられる（図６参照）。
【００３７】
効果音制御装置２３のＣＰＵは、主制御装置２１の出力インターフェースからのコマンドを配線及び入力インターフェースを介して入力すると、ＣＰＵがＲＯＭに設定されたプログラムをＲＡＭを用いて処理過程の記憶手段として用いて効果音制御の処理を実行し、その実行結果により音源ＩＣがＲＯＭに設定された効果音データからの効果音信号への変換を行い、アンプが上記効果音信号を増幅し、パチンコ機に設けられた図外のスピーカを配線を介して電気的に駆動する。主制御装置２１から効果音制御装置２３に入力されるコマンドの種類には、始動口入賞音、図柄変動中音、リーチ音、図柄停止音、大当り決定音、大当り中音、大当り終了音、エラー音等がある。
【００３８】
第５部品取付体８は第１部品取付体４の入賞球出口４ｊ及び始動球出口４ｋより排出された球を受取り下流側に誘導するための合成樹脂からなる上方及び前方に開放状の箱型の部品であって、前後方向への貫通孔として形成された第５部品取付体位置決定部８ａ、底部の球出口部８ｂ、図示しない複数の遊技盤取付孔部、裏面に突出した筒状の複数の第６部品取付体支持部８ｃを備える。そして、第５部品取付体位置決定部８ａが部品取付体位置決定部４ｗに裏側より嵌合されることにより、第５部品取付体８が第１部品取付体４に位置決めされる。その状態において、図外の止ねじが遊技盤取付孔部より遊技盤１の裏面に締結されることにより、第５部品取付体８が第１部品取付体４よりも下位となるように遊技盤１の裏面に取付けられる。これによって、第５部品取付体８は入賞球出口４ｊ及び始動球出口４ｋから排出された球を集合して球出口部８ｂより排出する。球出口部８ｂには球出口部８ｂより排出される球を検出した計数信号を出力する図外の入賞球検出器が取付けられることがある。
【００３９】
第６部品取付体９は、遊技盤１の裏面に主制御装置２１及びエラー表示装置３４を取付けるための合成樹脂からなる前方及び上方開放の箱型の部品であって、前後方向への貫通孔として形成された第６部品取付体位置決定部９ａ、周縁の遊技盤取付孔部９ｂ、裏側に突出した複数の主制御装置係合部９ｃ、右側の係合レバー９ｄを備える。係合レバー９ｄは左端が第６部品取付体９の裏面に連接されかつ周囲に形成されたスリット９ｅで第６部品取付体９の裏面より分離した片持ち状である。係合レバー９ｄの中間部には前後方向への貫通孔である係合孔部９ｆを備える。第６部品取付体９の裏面には前側に窪む横方向のガイド溝９ｇを備える。そして、第６部品取付体位置決定部９ａが部品取付体位置決定部４ｗに裏側より嵌合されることにより、第６部品取付体９が第１部品取付体４に位置決めされる。その状態において、図外の止ねじが遊技盤取付孔部９ｂより遊技盤１に締結されることにより、第６部品取付体９が遊技盤１の裏面に取付けられる（図５；図６参照）。
【００４０】
主制御装置２１はＣＰＵやＲＯＭ及びＲＡＭ等の半導体集積部品やその他の各種電気部品が実装された回路基板が透視性の有る無色な合成樹脂からなるケースの内部に収納され、回路基板に実装された複数のコネクタ２１ａがケースの上縁部に配置されてケースより裏面側に突出する。主制御装置２１のケースの前面には、図４に示すように、第６部品取付体係合部２１ｂ、係合突起２１ｃ、複数のガイド突起２１ｄ、係合部周辺凹部２１ｅ、係合部成形用孔２１ｆ、成形用孔覆体２１ｇを備える。そして、ガイド突起２１ｄが図３のガイド溝９ｇに第６部品取付体９の裏側より嵌合された状態において、主制御装置２１が左側より右側に横移動されると、主制御装置係合部９ｃと第６部品取付体係合部２１ｂとが嵌合し、主制御装置２１は横移動可能であるが裏側に抜けないようになる。更に、上記主制御装置２１の左側から右側への横移動が進行すると、係合突起２１ｃが図３の係合レバー９ｄを裏側より前側へ押し、係合突起２１ｃが係合孔部９ｆに合うことにより、係合レバー９ｄが弾性的に復元し、係合突起２１ｃが係合孔部９ｆに嵌合され、主制御装置２１は横移動不能となる。これによって、主制御装置２１は第６部品取付体９の裏面に前後方向及び横方向へ移動不能に取付けられる。係合部周辺凹部２１ｅは、主制御装置２１のケースの前面より裏側に膨出する。係合部周辺凹部２１ｅの内部には係合部周辺凹部２１ｅの周壁より突出した第６部品取付体係合部２１ｂが配置される。第６部品取付体係合部２１ｂはケースの前面より前側に突出していない。係合部成形用孔２１ｆは、第６部品取付体係合部２１ｂを形成するための成形型中子により係合部周辺凹部２１ｅの裏面に形成された貫通孔である。成形用孔覆体２１ｇは、主制御装置２１のケースの一部を構成し、ケースの前面と回路基板との間に介在されることで、係合部成形用孔２１ｆを閉鎖し、係合部成形用孔２１ｆを利用した不正行為から主制御装置２１のケースの内部空間に格納された回路基板のプリント配線面を保護する。主制御装置２１のケースは、前面側要素、後面側要素、前面側要素と後面側要素との間に存在する中間要素である成形用孔覆体２１ｇの３つのケース要素が組合せられることにより形成され、後面側要素と成形用孔覆体２１ｇとから形成される密封状の内部空間に回路基板が収納された形態である。
【００４１】
主制御装置２１のＣＰＵは、入賞球検出器からの入賞球検出信号を配線及び入力インターフェースを介して入力すると、ＣＰＵがＲＯＭに設定されたプログラムをＲＡＭを処理過程の記憶手段として用いて遊技全般の遊技処理を実行し、その処理結果であるコマンドを、出力インターフェース及び配線を介して、表示灯制御装置２２、効果音制御装置２３、図柄表示装置２４の図柄表示制御回路、図７の球発射制御装置５１、図７の球払出制御装置５２に一方向に出力する。主制御装置２１から球発射制御装置５１へのコマンドは球払出制御装置５２を経由して送信される。球発射制御装置５１及び球払出制御装置５２は図７の遊技盤１をパチンコ店の島に交換可能に装着するための額縁状の前枠５０に取付けられる。又、主制御装置２１、表示灯制御装置２２、効果音制御装置２３、図柄表示装置２４の図柄表示制御回路、球発射制御装置５１、球払出制御装置５２には前枠５０に取付けられた電源装置５３より電源が供給される。電源装置５３は島側トランスと呼ばれる島側電源部より入力されるＡＣ２４ボルトをＤＣ２４ボルトやＤＣ１２ボルト及びＤＣ５ボルト等の直流電源に変換して出力する。前枠５０にはタンク５４、球誘導樋５５、球払出機構５６、リアカバー５７も取付けられる。タンク５４はパチンコ店の島側の球補給手段より供給された球を貯蔵する。球誘導樋５５は球をタンク５４から球払出機構５６に誘導する。球払出機構５６は球払出制御装置５２による制御動作に応じて球を遊技者側に払出す。リアカバー５７は、球払出機構５６を介して前枠５０に開閉可能に取り付けられており、閉じられることにより、主制御装置２１、表示灯制御装置２２、効果音制御装置２３、図柄表示装置２４、エラー表示装置３４、球発射制御装置５１及び球払出制御装置５２を裏側より覆う。
【００４２】
再び図３に戻り、第６部品取付体９の裏面の一側部には複数の配線押え取付孔部９ｈを備える。配線押え取付孔部９ｈと左側の遊技盤取付孔部９ｂとの間に形成された段差部９ｉには、縦溝状のエラー表示装置受凹部９ｊ、裏側に突出した筒状の第７部品取付体取付孔部９ｋを備える。
【００４３】
第７部品取付体１０は第６部品取付体９との協同によりエラー表示装置３４を取付けるための合成樹脂からなる前方及び右方に開放状の箱型の部品であって、右側のエラー表示視認用窓１０ａ、前側のエラー表示装置受凹部１０ｂ、前側のエラー表示装置受凸部１０ｃ、複数の第６部品取付体取付孔部１０ｄを備える。
【００４４】
エラー表示装置３４は、回路基板の左側面に「日字形及び点」を表示する８セグメントからなる表示パネル３４ａ及びコネクタ３４ｂを実装した、形態である。そして、エラー表示装置３４は回路基板の前端縁部がエラー表示装置受凹部９ｊに取込まれる。その状態において、第７部品取付体１０が段差部９ｉを裏側より覆うように第６部品取付体９に重ね合され、エラー表示装置３４の回路基板の裏端縁部下部がエラー表示装置受凹部１０ｂに取込まれ、同回路基板の裏端縁部上部右側面がエラー表示装置受凸部１０ｃに接触する。
【００４５】
それから、図外の止めねじが第６部品取付体取付孔部１０ｄより第７部品取付体取付孔部９ｋに締結されることにより、第６部品取付体９と第７部品取付体１０とがお互いに組付けられ、エラー表示装置３４が第６部品取付体９と第７部品取付体１０とに挟み付けられて取付けられる。その状態において、エラー表示装置３４の表示パネル３４ａが第６部品取付体９と第７部品取付体１０との一側部よりエラー表示視認用窓１０ａを経由して視認し得る形態となる。エラー表示装置３４のコネクタ３４ｂは第７部品取付体１０で覆われる。エラー表示装置３４は主制御装置２１からのエラー信号により算用数字の「１」〜「９」及び「点」の点灯により遊技中に発生した複数の異なるエラーの種類を表示する。表示パネル３４ａにおける算用数字の「１」〜「９」及び「点」の点灯と複数の異なるエラーの種類とは予め設定された組合せになっており、パチンコ店の従業員が表示パネル３４ａの点灯状態を確認することによりエラーの種類を知り得る。
【００４６】
配線押え１１は第７部品取付体１０よりも裏側に通した配線を整理するための合成樹脂からなる板状の部品であって、右側の第６部品取付体取付孔部１１ａ、左側より前側に突出した複数の押え片部１１ｂを備える。そして、前記エラー表示装置３４が取付けられた後、配線押え１１が第６部品取付体９の裏面に重ね合され、図外の止ねじが第６部品取付体取付孔部１１ａより配線押え取付孔部９ｈに締結され、配線押え１１が段差部９ｉとの間に所定の配線通路を形成すると共に第７部品取付体１０を第６部品取付体９に締結した止ねじを覆う。この配線押え１１が第６部品取付体９と第７部品取付体１０との止ねじを覆うことにより、第６部品取付体９と第７部品取付体１０との止めねじがドライバのような工具で不正に弛緩操作されることは防止できる。配線押え１１を第６部品取付体９に締結した止ねじは第６部品取付体９の裏面に取付けられた主制御装置２１で覆われる。よって、エラー表示装置３４の取付及び配線押え１１の取付は、前記主制御装置２１が第６部品取付体９への取付前に行われる。
【００４７】
この実施形態の構造によれば、遊技盤１の裏面には、第１；第２；第５；第６部品取付体４；５；８；９が取付けられる。第１部品取付体４の裏面には、第３；第４部品取付体６；７及び第５；第６中継基板３２；３３が取付けられる。第１部品取付体４の前面にはランプ風車表示灯装置２６が取付けられる。第２部品取付体５の裏面には第１〜第４中継基板２８〜３１が取付けられる。第３部品取付体６の裏面には表示灯制御装置２２が取付けられる。第４部品取付体７の裏面には効果音制御装置２３が取付けられる。第６部品取付体９の裏面には第７部品取付体１０及び配線押え１１が取付けられる。第６部品取付体９の側面にはエラー表示装置３４が第７部品取付体１０との協同により取付けられる。第６部品取付体９の裏面には主制御装置２１が取付けられる。遊技盤１の前面には、装飾体３、センタ飾り３５、ランプ風車装置３６、上位入賞口装置３７、サイドランプ装置３８、下位入賞口装置４０及び大入賞口装置４１が取付けられる。
【００４８】
図８を参照し、第５；第６中継基板３２；３３に相当する中継基板６０と主制御装置２１との配線系統、中継基板６０と表示灯制御装置２２との配線系統について説明する。中継基板６０には入力ブロック６１と出力ブロック６２とが区分される。入力ブロック６１には、複数の検出器用コネクタ６３；６４；６５；６６；６７；６８；６９；７０；７１；７２と、主制御用コネクタ７３とを備える。検出器用コネクタ６３〜７２及び主制御用コネクタ７３には相手側コネクタが中継基板の板面に沿う方向より抜差し可能な横差しタイプが用いられる。出力ブロック６２には、複数の作動部品用コネクタ７５；７６；７７；７８；７９；８０；８１；８２；８３；８４；８５と、表示灯制御用コネクタ８６とを備える。作動部品用コネクタ７５〜８５及び表示灯制御用コネクタ８６には相手側コネクタが中継基板の板面に突当る方向より抜差し可能な縦差しタイプが用いられる。よって、中継基板６０が、入力ブロック６１と出力ブロック６２というような機能別ブロックに区分されたので、中継基板６０への配線作業時において、中継基板６０の多数のコネクタ６３〜７３；７５〜８６の位置を探し易い。又、入力ブロック６１に配置されるコネクタ６３〜７３には横差しタイプが用いられ、出力ブロック６２に配置されるコネクタ７５〜８６には縦差しタイプが用いられたので、中継基板６０に対する入力系統と出力系統との配線間違いが防止できる。又、入力ブロック６１に配置されるコネクタ６３〜７３には横差しタイプが用いられたので、コネクタ６３〜７３での接触ノイズが低減でき、検出器９０〜９９から主制御装置２１に送信される信号間違いが減少する。それは、横差しタイプのコネクタ６３〜７３と相手側コネクタとが嵌め込まれた状態において、相手側コネクタの配線が中継基板６０や中継基板６０の取付けられた周辺部品に沿い配索されて振れにくく、コネクタ６３〜７３の端子と相手側コネクタの端子との嵌合部分でのがたつきが少なく、コネクタ６３〜７３の端子と相手側コネクタの端子との間の接触ノイズが減少し、接触ノイズが検出信号として主制御装置２１に送信されることが減るからである。これに対し、縦差しタイプのコネクタ７５〜８６と相手側コネクタとが嵌め込まれた状態において、相手側コネクタの配線が空中で湾曲された後中継基板６０や中継基板６０の取付けられた周辺部品に沿い配索され、係る配線の空中存在部分がパチンコ機の遊技中での振動に共振し、コネクタ７５〜８６の端子と相手側コネクタの端子との嵌合部分ががたつき、接触ノイズが発生し易い。けれども、縦差しタイプのコネクタ７５〜８６は表示灯制御装置２２から出力される電気エネルギーを光エネルギーや運動エネルギー或いは磁気エネルギー等の他のエネルギーに変換して動作する作動部品への電気系統に用いられているので、接触ノイズが作動部品の誤動作につながることは希である。
【００４９】
この実施形態では、検出器用コネクタ６３には図１のセンタ飾り３５の上部に設けられた天入賞口装置に入賞した球を検出する天入賞球検出器９０が図外のコネクタにより接続される。検出器用コネクタ６４には図１の左側の上位入賞口装置３７に入賞した球を検出する左側上位入賞球検出器９１が図外のコネクタにより接続される。検出器用コネクタ６５には図１の右側の上位入賞口装置３７に入賞した球を検出する右側上位入賞球検出器９２が図外のコネクタにより接続される。検出器用コネクタ６６には図１の始動入賞口装置３９に入賞した球を検出する始動球検出器９３が図外のコネクタにより接続される。検出器用コネクタ６７には図１の左側下位入賞口装置４０の上側の入賞口に入賞した球を検出する左上側下位入賞球検出器９４が図外のコネクタにより接続される。検出器用コネクタ６８には図１の左側下位入賞口装置４０の下側の入賞口に入賞した球を検出する左下側下位入賞球検出器９５が図外のコネクタにより接続される。検出器用コネクタ６９には図１の右側下位入賞口装置４０の上側の入賞口に入賞した球を検出する右上側下位入賞球検出器９６が図外のコネクタにより接続される。検出器用コネクタ７０には図１の右側下位入賞口装置４０の下側の入賞口に入賞した球を検出する右下側下位入賞球検出器９７が図外のコネクタにより接続される。検出器用コネクタ７１には図１の大入賞口装置４１内部の普通入賞口部に入賞した球を検出する大入賞普通入賞球検出器９８が図外のコネクタにより接続される。検出器用コネクタ７２には図１の大入賞口装置４１内部の特定入賞口部に入賞した球を検出する大入賞特定入賞球検出器９９が図外のコネクタにより接続される。主制御用コネクタ７３には図３の主制御装置２１の入力側コネクタからの配線１００がコネクタ１０１により接続される。
【００５０】
作動部品用コネクタ７５には図１の賞球表示灯装置４２が接続される。作動部品用コネクタ７６には図１の完了表示灯装置４３が接続される。作動部品用コネクタ７７には図３の左側のランプ風車表示灯装置２６がコネクタにより接続される。作動部品用コネクタ７８には図３の右側のランプ風車表示灯装置２６がコネクタにより接続される。作動部品用コネクタ７９には図３の左側のサイドランプ装置３８がコネクタにより接続される。作動部品用コネクタ８０には図３の右側のサイドランプ装置３８がコネクタにより接続される。作動部品用コネクタ８１には図１の左側のセンタサイド表示灯装置２５がコネクタにより接続される。作動部品用コネクタ８２には図１の右側のセンタサイド表示灯装置２５がコネクタにより接続される。作動部品用コネクタ８３には図１の左側の下位入賞口装置４０がコネクタにより接続される。作動部品用コネクタ８４には図１の右側の下位入賞口装置４０がコネクタにより接続される。作動部品用コネクタ８５には図１の大入賞口装置４１がコネクタにより接続される。表示灯制御用コネクタ８６には図３の表示灯制御装置２２の出力側コネクタからの配線１０２がコネクタ１０３により接続される。
【００５１】
装飾体側位置決定部３ｃに相当する位置決定部を遊技盤１の逃孔１ｃに形成しても同様に適用できる。その場合、逃孔１ｃは遊技盤１の前面側が閉鎖され、その閉鎖壁に装飾体側位置決定部３ｃに相当する位置決定部が形成される。これによって、部品取付体２は装飾体３を仲介させずに遊技盤１に位置決め固定される。
【図面の簡単な説明】
【図１】  本発明の一実施形態を示す裏側からの分解斜視図。
【図２】  同実施形態の裏面図。
【図３】  同実施形態の部品取付体の裏側からの分解斜視図。
【図４】  同実施形態の主制御装置の前側からの斜視図。
【図５】  同実施形態の膨出部左側の断面図。
【図６】  同実施形態の膨出部右側の断面図。
【図７】  同実施形態のパチンコ機の裏面図。
【図８】  同実施形態の中継基板を示す摸式図。
【符号の説明】
１  遊技盤
１ａ；１ｂ  遊技盤側位置決定部
１ｃ  逃孔
２  部品取付体
２ａ；２ｂ  取付体側位置決定部
２ｃ  遊嵌部
２ｄ  先端部
３  装飾体
３ａ；３ｂ；３ｃ  装飾体側位置決定部
【図１】
0004451517.tif 000002
【図２】
0004451517.tif 000003
【図３】
0004451517.tif 000004
【図４】
0004451517.tif 000005
【図５】
0004451517.tif 000006
【図６】
0004451517.tif 000007
【図７】
0004451517.tif 000008
【図８】
0004451517.tif 000009